(57)【要約】【課題】契約先の携帯電話通信事業者を変更しても電子メールアドレスを変更せずに継続して利用することを可能とする共同電子メールサーバ装置を提供する。【解決手段】通知部３５は、送受信部３２が受信してＤＢ管理部３３により記録された電子メール情報の電子メールアドレスをＳＭＳ送信部４２に通知する。ＳＭＳ送信部４２は、ＤＢ管理部２２を介して利用者情報ＤＢ２３から、当該電子メールアドレスに対応する接続先情報と電話番号を得て、当該接続先情報に対応する携帯電話網１０Ａに当該電話番号を宛先として発信して電子メール着信通知を送信する。送受信部３２は、インターネット網１００を介して携帯電話端末５０から電子メール取得要求を受信した場合、受信した電子メール取得要求に含まれる電子メールアドレスに対応する電子メール情報をＤＢ管理部３３を介して電子メールＤＢ３４から読み出して携帯電話端末５０に送信する。【選択図】図１
2007134964.tif 000002
【特許請求の範囲】
【請求項１】
携帯電話通信ネットワークとデータ通信ネットワークとに接続され、予め電話番号及び識別情報が付与される携帯電話端末を宛先とする電子メール情報を受信する共同電子メールサーバ装置であって、
前記携帯電話通信ネットワークに接続する第１の接続手段と、
前記データ通信ネットワークに接続する第２の接続手段と、
前記携帯電話端末の電話番号と識別情報とを記憶する利用者情報記憶部と、
前記第２の接続手段を介して前記識別情報を含む電子メール情報を受信する電子メール受信手段と、
前記電子メール受信手段が受信する前記電子メール情報を電子メール記憶部に記録する第１の記録手段と、
前記第１の記録手段が前記電子メール情報を前記電子メール記憶部に記録した際、前記第１の記録手段が記録した前記電子メール情報に含まれる前記識別情報に対応する前記電話番号を前記利用者情報記憶部から読み出す読出手段と、
前記第１の接続手段が接続する前記携帯電話通信ネットワークに前記読出手段が読み出した前記電話番号を宛先として発信し、確立された回線を通じて電子メール着信通知を送信する送信手段と、
前記第２の接続手段が前記データ通信ネットワークを介して前記携帯電話端末から電子メール取得要求を受信した場合、受信した電子メール取得要求に含まれる前記識別情報に対応する電子メール情報を前記電子メール記憶部から読み出し、読み出した電子メール情報を前記第２の接続手段を介して当該携帯電話端末に送信する電子メール送信手段と、
を備えたことを特徴とする共同電子メールサーバ装置。
【請求項２】
前記第２の接続手段が前記データ通信ネットワークを介して前記携帯電話端末から当該携帯電話端末の電話番号と識別情報とを含む登録要求を受信した場合、前記登録要求に含まれる前記電話番号と前記識別情報とを対応付けて利用者情報記憶部へ記録する第２の記録手段
を備えたことを特徴とする請求項１に記載の共同電子メールサーバ装置。
【請求項３】
複数の携帯電話通信ネットワークとデータ通信ネットワークとに接続され、予め電話番号及び識別情報が付与される携帯電話端末を宛先とする電子メール情報を受信する共同電子メールサーバ装置であって、
入力される前記携帯電話端末の接続先の携帯電話通信ネットワークを示す接続先情報に基づいて、前記複数の携帯電話通信ネットワークの中からいずれか１つの携帯電話通信ネットワークを選択して接続する第１の接続手段と、
前記データ通信ネットワークに接続する第２の接続手段と、
前記接続先情報と当該携帯電話端末の電話番号と識別情報とを記憶する利用者情報記憶部と、
前記第２の接続手段を介して前記識別情報を含む電子メール情報を受信する電子メール受信手段と、
前記電子メール受信手段が受信する前記電子メール情報を電子メール記憶部に記録する第１の記録手段と、
前記第１の記録手段が前記電子メール情報を前記電子メール記憶部に記録した際、前記第１の記録手段が記録した前記電子メール情報に含まれる前記識別情報に対応する前記接続先情報と前記電話番号とを前記利用者情報記憶部から読み出す読出手段と、
前記読出手段が読み出した前記接続先情報を前記第１の接続手段に入力し、前記第１の接続手段が選択して接続する前記携帯電話通信ネットワークに前記読出手段が読み出した前記電話番号を宛先として発信し、確立された回線を通じて電子メール着信通知を送信する送信手段と、
前記第２の接続手段が前記データ通信ネットワークを介して前記携帯電話端末から電子メール取得要求を受信した場合、受信した電子メール取得要求に含まれる前記識別情報に対応する電子メール情報を前記電子メール記憶部から読み出し、読み出した電子メール情報を前記第２の接続手段を介して当該携帯電話端末に送信する電子メール送信手段と、
を備えたことを特徴とする共同電子メールサーバ装置。
【請求項４】
前記第２の接続手段が前記データ通信ネットワークを介して前記携帯電話端末から当該携帯電話端末の接続先の携帯電話通信ネットワークを示す接続先情報と当該携帯電話端末の電話番号と識別情報とを含む登録要求を受信した場合、前記登録要求に含まれる前記接続先情報と前記電話番号と前記識別情報とを対応付けて利用者情報記憶部へ記録する第２の記録手段
を備えたことを特徴とする請求項３に記載の共同電子メールサーバ装置。
【請求項５】
携帯電話通信ネットワークと、データ通信ネットワークと、前記携帯電話通信ネットワークと前記データ通信ネットワークに接続され予め電話番号と識別情報が付与される携帯電話端末と、前記携帯電話端末を宛先とする電子メール情報を受信する共同電子メールサーバ装置とを備えた電子メール配信システムであって、
前記共同電子メールサーバ装置は、
前記携帯電話通信ネットワークに接続する第１の接続手段と、
前記データ通信ネットワークに接続する第２の接続手段と、
前記携帯電話端末の電話番号と識別情報とを記憶する利用者情報記憶部と、
前記第２の接続手段を介して前記識別情報を含む電子メール情報を受信する電子メール受信手段と、
前記電子メール受信手段が受信した前記電子メール情報を電子メール記憶部に記録する第１の記録手段と、
前記第１の記録手段が前記電子メール情報を前記電子メール記憶部に記録した際、前記第１の記録手段が記録した前記電子メール情報に含まれる前記識別情報に対応する前記電話番号を前記利用者情報記憶部から読み出す読出手段と、
前記携帯電話通信ネットワークに前記読出手段が読み出した前記電話番号を宛先として発信し、確立された回線を通じて電子メール着信通知を送信する送信手段と、
前記第２の接続手段が前記データ通信ネットワークを介して前記携帯電話端末から電子メール取得要求を受信した場合、受信した電子メール取得要求に含まれる前記識別情報に対応する電子メール情報を前記電子メール記憶部から読み出し、読み出した電子メール情報を前記第２の接続手段を介して当該携帯電話端末に送信する電子メール送信手段と、を備え、
前記携帯電話端末は、
前記携帯電話通信ネットワークを介して前記共同電子メールサーバ装置から電子メール着信通知を受信した場合、前記データ通信ネットワークを介して前記共同電子メールサーバ装置に自端末の識別情報を含む電子メール取得要求を送信する取得要求送信手段と、
前記データ通信ネットワークを介して前記共同電子メールサーバ装置から前記電子メール情報を受信するメール受信手段と、
を備えたことを特徴とする電子メール配信システム。
【請求項６】
複数の携帯電話通信ネットワークと、データ通信ネットワークと、いずれか１つの前記携帯電話通信ネットワークと前記データ通信ネットワークに接続され予め電話番号と識別情報が付与される携帯電話端末と、前記携帯電話端末を宛先とする電子メール情報を受信する共同電子メールサーバ装置とを備えた電子メール配信システムであって、
前記共同電子メールサーバ装置は、
入力される前記携帯電話端末の接続先の携帯電話通信ネットワークを示す接続先情報に基づいて、前記複数の携帯電話通信ネットワークの中からいずれか１つの携帯電話通信ネットワークを選択して接続する第１の接続手段と、
前記データ通信ネットワークに接続する第２の接続手段と、
前記携帯電話端末の接続先の携帯電話通信ネットワークを示す接続先情報と当該携帯電話端末の電話番号と識別情報とを記憶する利用者情報記憶部と、
前記第２の接続手段を介して前記識別情報を含む電子メール情報を受信する電子メール受信手段と、
前記電子メール受信手段が受信した前記電子メール情報を電子メール記憶部に記録する第１の記録手段と、
前記第１の記録手段が前記電子メール情報を前記電子メール記憶部に記録した際、前記第１の記録手段が記録した前記電子メール情報に含まれる前記識別情報に対応する前記接続先情報と前記電話番号とを前記利用者情報記憶部から読み出す読出手段と、
前記読出手段が読み出した前記接続先情報を前記第１の接続手段に入力し、前記第１の接続手段が選択して接続する前記携帯電話通信ネットワークに前記読出手段が読み出した前記電話番号を宛先として発信し、確立された回線を通じて電子メール着信通知を送信する送信手段と、
前記第２の接続手段が前記データ通信ネットワークを介して前記携帯電話端末から電子メール取得要求を受信した場合、受信した電子メール取得要求に含まれる前記識別情報に対応する電子メール情報を前記電子メール記憶部から読み出し、読み出した電子メール情報を前記第２の接続手段を介して当該携帯電話端末に送信する電子メール送信手段と、を備え、
前記携帯電話端末は、
前記携帯電話通信ネットワークを介して前記共同電子メールサーバ装置から電子メール着信通知を受信した場合、前記データ通信ネットワークを介して前記共同電子メールサーバ装置に自端末の識別情報を含む電子メール取得要求を送信する取得要求送信手段と、
前記データ通信ネットワークを介して前記共同電子メールサーバ装置から前記電子メール情報を受信するメール受信手段と、
を備えたことを特徴とする電子メール配信システム。
【請求項７】
携帯電話通信ネットワークと、データ通信ネットワークと、前記携帯電話通信ネットワークと前記データ通信ネットワークに接続され予め電話番号と識別情報が付与される携帯電話端末と、前記携帯電話端末を宛先とする電子メール情報を受信する共同電子メールサーバ装置とを備えた電子メール配信システムにおける電子メール配信方法であって、
前記共同電子メールサーバ装置が、前記携帯電話端末の電話番号と識別情報とを利用者情報記憶部に記録するステップと、
前記共同電子メールサーバ装置が、前記データ通信ネットワークから前記識別情報を含む電子メール情報を受信するステップと、
前記共同電子メールサーバ装置が、受信した前記電子メール情報を電子メール記憶部に記録するステップと、
前記共同電子メールサーバ装置が、前記電子メール情報を前記電子メール記憶部に記録した際、記録した前記電子メール情報に含まれる前記識別情報に対応する前記電話番号を前記利用者情報記憶部から読み出すステップと、
前記共同電子メールサーバ装置が、前記携帯電話通信ネットワークに読み出した前記電話番号を宛先として発信し、確立された回線を通じて電子メール着信通知を送信するステップと、
前記携帯電話端末が、前記携帯電話通信ネットワークを介して前記共同電子メールサーバ装置から前記電子メール着信通知を受信するステップと、
前記携帯電話端末が、前記電子メール着信通知を受信した場合、前記データ通信ネットワークを介して前記共同電子メールサーバ装置に自端末の識別情報を含む電子メール取得要求を送信するステップと、
前記共同電子メールサーバ装置が、前記データ通信ネットワークを介して前記携帯電話端末から電子メール取得要求を受信するステップと、
前記共同電子メールサーバ装置が、受信した電子メール取得要求に含まれる前記識別情報に対応する電子メール情報を前記電子メール記憶部から読み出すステップと、
前記共同電子メールサーバ装置が、読み出した電子メール情報を当該携帯電話端末に送信するステップと、
前記携帯電話端末が、前記データ通信ネットワークを介して前記共同電子メールサーバ装置から前記電子メール情報を受信するステップと、
を含むことを特徴とする電子メール配信方法。
【請求項８】
複数の携帯電話通信ネットワークと、データ通信ネットワークと、いずれか１つの前記携帯電話通信ネットワークと前記データ通信ネットワークに接続され予め電話番号と識別情報が付与される携帯電話端末と、前記携帯電話端末を宛先とする電子メール情報を受信する共同電子メールサーバ装置とを備えた電子メール配信システムにおける電子メール配信方法であって、
前記共同電子メールサーバ装置が、前記携帯電話端末の接続先の携帯電話通信ネットワークを示す接続先情報と当該携帯電話端末の電話番号と識別情報とを利用者情報記憶部に記録するステップと、
前記共同電子メールサーバ装置が、前記データ通信ネットワークから前記識別情報を含む電子メール情報を受信するステップと、
前記共同電子メールサーバ装置が、受信した前記電子メール情報を電子メール記憶部に記録するステップと、
前記共同電子メールサーバ装置が、前記電子メール情報を前記電子メール記憶部に記録した際、記録した前記電子メール情報に含まれる前記識別情報に対応する前記接続先情報と前記電話番号とを前記利用者情報記憶部から読み出すステップと、
前記共同電子メールサーバ装置が、読み出した前記接続先情報に対応する前記携帯電話通信ネットワークを選択して接続するステップと、
前記共同電子メールサーバ装置が、接続した前記携帯電話通信ネットワークに読み出した前記電話番号を宛先として発信し、確立された回線を通じて電子メール着信通知を送信するステップと、
前記携帯電話端末が、前記携帯電話通信ネットワークを介して前記共同電子メールサーバ装置から前記電子メール着信通知を受信するステップと、
前記携帯電話端末が、前記電子メール着信通知を受信した場合、前記データ通信ネットワークを介して前記共同電子メールサーバ装置に自端末の識別情報を含む電子メール取得要求を送信するステップと、
前記共同電子メールサーバ装置が、前記データ通信ネットワークを介して前記携帯電話端末から電子メール取得要求を受信するステップと、
前記共同電子メールサーバ装置が、受信した電子メール取得要求に含まれる前記識別情報に対応する電子メール情報を前記電子メール記憶部から読み出すステップと、
前記共同電子メールサーバ装置が、読み出した電子メール情報を当該携帯電話端末に送信するステップと、
前記携帯電話端末が、前記データ通信ネットワークを介して前記共同電子メールサーバ装置から前記電子メール情報を受信するステップと、
を含むことを特徴とする電子メール配信方法。
【請求項９】
携帯電話通信ネットワークとデータ通信ネットワークとに接続され、予め電話番号及び識別情報が付与される携帯電話端末を宛先とする電子メール情報を受信する共同電子メールサーバ装置に具備されるコンピュータに、
前記携帯電話端末の電話番号と識別情報とを利用者情報記憶部に記録するステップと、
前記識別情報を含む電子メール情報を受信するステップと、
受信する前記電子メール情報を電子メール記憶部に記録するステップと、
前記電子メール情報を前記電子メール記憶部に記録した際、記録した前記電子メール情報に含まれる前記識別情報に対応する前記電話番号を前記利用者情報記憶部から読み出すステップと、
前記携帯電話通信ネットワークに読み出した前記電話番号を宛先として発信し、確立された回線を通じて電子メール着信通知を送信するステップと、
前記データ通信ネットワークを介して前記携帯電話端末から電子メール取得要求を受信するステップと、
受信した電子メール取得要求に含まれる前記識別情報に対応する電子メール情報を前記電子メール記憶部から読み出すステップと、
読み出した電子メール情報を前記データ通信ネットワークを介して当該携帯電話端末に送信するステップと、
を実行させるためのコンピュータプログラム。
【請求項１０】
複数の携帯電話通信ネットワークとデータ通信ネットワークとに接続され、予め電話番号及び識別情報が付与される携帯電話端末を宛先とする電子メール情報を受信する共同電子メールサーバ装置に具備されるコンピュータに、
前記携帯電話端末の接続先の携帯電話通信ネットワークを示す接続先情報と当該携帯電話端末の電話番号と識別情報とを利用者情報記憶部に記録するステップと、
前記識別情報を含む電子メール情報を受信するステップと、
受信する前記電子メール情報を電子メール記憶部に記録するステップと、
前記電子メール情報を前記電子メール記憶部に記録した際、記録した前記電子メール情報に含まれる前記識別情報に対応する前記接続先情報と前記電話番号とを前記利用者情報記憶部から読み出すステップと、
読み出した前記接続先情報に対応する前記携帯電話通信ネットワークを選択して接続するステップと、
接続する前記携帯電話通信ネットワークに読み出した前記電話番号を宛先として発信し、確立された回線を通じて電子メール着信通知を送信するステップと、
前記データ通信ネットワークを介して前記携帯電話端末から電子メール取得要求を受信するステップと、
受信した電子メール取得要求に含まれる前記識別情報に対応する電子メール情報を前記電子メール記憶部から読み出すステップと、
読み出した電子メール情報を前記データ通信ネットワークを介して当該携帯電話端末に送信するステップと、
を実行させるためのコンピュータプログラム。
【発明の詳細な説明】
【技術分野】
【０００１】
本発明は、契約先の携帯電話通信事業者を変更しても携帯電話端末の電子メールアドレスを変更せずに継続して利用することを可能とする共同電子メールサーバ装置、電子メール配信システム、電子メール配信方法及びコンピュータプログラムに関する。
【背景技術】
【０００２】
最近の携帯電話端末では、ほぼ全ての端末に、電話により音声通信する機能に加えて、電子メールを送受信する機能が備えられており、携帯電話端末による電子メールの通信量も著しく増加している（例えば、非特許文献１参照）。
【０００３】
ところで、現状の携帯電話端末では、契約先の携帯電話通信事業者を変更すると電話番号も変更されてしまうという不便さがあり、近い将来、契約先の携帯電話通信事業者を変更しても電話番号を変更せずに済むナンバーポータビリティ制度が導入されることが計画されている。
【非特許文献１】矢部  俊康、“ｉモードサービス特集”、NTT DoCoMoテクニカル・ジャーナル、社団法人電気通信協会発行、株式会社NTTドコモ編集、1999年7月1日、pp22〜27.
【発明の開示】
【発明が解決しようとする課題】
【０００４】
しかしながら、ナンバーポータビリティ制度が導入されても、電子メールアドレスについては、電子メールアドレスが携帯電話通信事業者ごとのサーバに登録されているため、契約先を変更すると、その電子メールアドレスは使用することができないという問題がある。
【０００５】
本発明は、上記問題を解決すべくなされたもので、その目的は、契約先の携帯電話通信事業者を変更しても電子メールアドレスを変更せずに継続して利用することを可能とする共同電子メールサーバ装置、電子メール配信システム、電子メール配信方法及びコンピュータプログラムを提供することにある。
【課題を解決するための手段】
【０００６】
上記問題を解決するために、本発明は、携帯電話通信ネットワークとデータ通信ネットワークとに接続され、予め電話番号及び識別情報が付与される携帯電話端末を宛先とする電子メール情報を受信する共同電子メールサーバ装置であって、前記携帯電話通信ネットワークに接続する第１の接続手段と、前記データ通信ネットワークに接続する第２の接続手段と、前記携帯電話端末の電話番号と識別情報とを記憶する利用者情報記憶部と、前記第２の接続手段を介して前記識別情報を含む電子メール情報を受信する電子メール受信手段と、前記電子メール受信手段が受信する前記電子メール情報を電子メール記憶部に記録する第１の記録手段と、前記第１の記録手段が前記電子メール情報を前記電子メール記憶部に記録した際、前記第１の記録手段が記録した前記電子メール情報に含まれる前記識別情報に対応する前記電話番号を前記利用者情報記憶部から読み出す読出手段と、前記第１の接続手段が接続する前記携帯電話通信ネットワークに前記読出手段が読み出した前記電話番号を宛先として発信し、確立された回線を通じて電子メール着信通知を送信する送信手段と、前記第２の接続手段が前記データ通信ネットワークを介して前記携帯電話端末から電子メール取得要求を受信した場合、受信した電子メール取得要求に含まれる前記識別情報に対応する電子メール情報を前記電子メール記憶部から読み出し、読み出した電子メール情報を前記第２の接続手段を介して当該携帯電話端末に送信する電子メール送信手段と、を備えたことを特徴とする共同電子メールサーバ装置である。
【０００７】
本発明は、上記に記載の発明において、前記第２の接続手段が前記データ通信ネットワークを介して前記携帯電話端末から当該携帯電話端末の電話番号と識別情報とを含む登録要求を受信した場合、前記登録要求に含まれる前記電話番号と前記識別情報とを対応付けて利用者情報記憶部へ記録する第２の記録手段を備えたことを特徴とする。
【０００８】
本発明は、複数の携帯電話通信ネットワークとデータ通信ネットワークとに接続され、予め電話番号及び識別情報が付与される携帯電話端末を宛先とする電子メール情報を受信する共同電子メールサーバ装置であって、入力される前記携帯電話端末の接続先の携帯電話通信ネットワークを示す接続先情報に基づいて、前記複数の携帯電話通信ネットワークの中からいずれか１つの携帯電話通信ネットワークを選択して接続する第１の接続手段と、前記データ通信ネットワークに接続する第２の接続手段と、前記接続先情報と当該携帯電話端末の電話番号と識別情報とを記憶する利用者情報記憶部と、前記第２の接続手段を介して前記識別情報を含む電子メール情報を受信する電子メール受信手段と、前記電子メール受信手段が受信する前記電子メール情報を電子メール記憶部に記録する第１の記録手段と、前記第１の記録手段が前記電子メール情報を前記電子メール記憶部に記録した際、前記第１の記録手段が記録した前記電子メール情報に含まれる前記識別情報に対応する前記接続先情報と前記電話番号とを前記利用者情報記憶部から読み出す読出手段と、前記読出手段が読み出した前記接続先情報を前記第１の接続手段に入力し、前記第１の接続手段が選択して接続する前記携帯電話通信ネットワークに前記読出手段が読み出した前記電話番号を宛先として発信し、確立された回線を通じて電子メール着信通知を送信する送信手段と、前記第２の接続手段が前記データ通信ネットワークを介して前記携帯電話端末から電子メール取得要求を受信した場合、受信した電子メール取得要求に含まれる前記識別情報に対応する電子メール情報を前記電子メール記憶部から読み出し、読み出した電子メール情報を前記第２の接続手段を介して当該携帯電話端末に送信する電子メール送信手段と、を備えたことを特徴とする共同電子メールサーバ装置である。
【０００９】
本発明は、上記に記載の発明において、前記第２の接続手段が前記データ通信ネットワークを介して前記携帯電話端末から当該携帯電話端末の接続先の携帯電話通信ネットワークを示す接続先情報と当該携帯電話端末の電話番号と識別情報とを含む登録要求を受信した場合、前記登録要求に含まれる前記接続先情報と前記電話番号と前記識別情報とを対応付けて利用者情報記憶部へ記録する第２の記録手段を備えたことを特徴とする。
【００１０】
本発明は、携帯電話通信ネットワークと、データ通信ネットワークと、前記携帯電話通信ネットワークと前記データ通信ネットワークに接続され予め電話番号と識別情報が付与される携帯電話端末と、前記携帯電話端末を宛先とする電子メール情報を受信する共同電子メールサーバ装置とを備えた電子メール配信システムであって、前記共同電子メールサーバ装置は、前記携帯電話通信ネットワークに接続する第１の接続手段と、前記データ通信ネットワークに接続する第２の接続手段と、前記携帯電話端末の電話番号と識別情報とを記憶する利用者情報記憶部と、前記第２の接続手段を介して前記識別情報を含む電子メール情報を受信する電子メール受信手段と、前記電子メール受信手段が受信した前記電子メール情報を電子メール記憶部に記録する第１の記録手段と、前記第１の記録手段が前記電子メール情報を前記電子メール記憶部に記録した際、前記第１の記録手段が記録した前記電子メール情報に含まれる前記識別情報に対応する前記電話番号を前記利用者情報記憶部から読み出す読出手段と、前記携帯電話通信ネットワークに前記読出手段が読み出した前記電話番号を宛先として発信し、確立された回線を通じて電子メール着信通知を送信する送信手段と、前記第２の接続手段が前記データ通信ネットワークを介して前記携帯電話端末から電子メール取得要求を受信した場合、受信した電子メール取得要求に含まれる前記識別情報に対応する電子メール情報を前記電子メール記憶部から読み出し、読み出した電子メール情報を前記第２の接続手段を介して当該携帯電話端末に送信する電子メール送信手段と、を備え、前記携帯電話端末は、前記携帯電話通信ネットワークを介して前記共同電子メールサーバ装置から電子メール着信通知を受信した場合、前記データ通信ネットワークを介して前記共同電子メールサーバ装置に自端末の識別情報を含む電子メール取得要求を送信する取得要求送信手段と、前記データ通信ネットワークを介して前記共同電子メールサーバ装置から前記電子メール情報を受信するメール受信手段と、を備えたことを特徴とする電子メール配信システムである。
【００１１】
本発明は、複数の携帯電話通信ネットワークと、データ通信ネットワークと、いずれか１つの前記携帯電話通信ネットワークと前記データ通信ネットワークに接続され予め電話番号と識別情報が付与される携帯電話端末と、前記携帯電話端末を宛先とする電子メール情報を受信する共同電子メールサーバ装置とを備えた電子メール配信システムであって、前記共同電子メールサーバ装置は、入力される前記携帯電話端末の接続先の携帯電話通信ネットワークを示す接続先情報に基づいて、前記複数の携帯電話通信ネットワークの中からいずれか１つの携帯電話通信ネットワークを選択して接続する第１の接続手段と、前記データ通信ネットワークに接続する第２の接続手段と、前記携帯電話端末の接続先の携帯電話通信ネットワークを示す接続先情報と当該携帯電話端末の電話番号と識別情報とを記憶する利用者情報記憶部と、前記第２の接続手段を介して前記識別情報を含む電子メール情報を受信する電子メール受信手段と、前記電子メール受信手段が受信した前記電子メール情報を電子メール記憶部に記録する第１の記録手段と、前記第１の記録手段が前記電子メール情報を前記電子メール記憶部に記録した際、前記第１の記録手段が記録した前記電子メール情報に含まれる前記識別情報に対応する前記接続先情報と前記電話番号とを前記利用者情報記憶部から読み出す読出手段と、前記読出手段が読み出した前記接続先情報を前記第１の接続手段に入力し、前記第１の接続手段が選択して接続する前記携帯電話通信ネットワークに前記読出手段が読み出した前記電話番号を宛先として発信し、確立された回線を通じて電子メール着信通知を送信する送信手段と、前記第２の接続手段が前記データ通信ネットワークを介して前記携帯電話端末から電子メール取得要求を受信した場合、受信した電子メール取得要求に含まれる前記識別情報に対応する電子メール情報を前記電子メール記憶部から読み出し、読み出した電子メール情報を前記第２の接続手段を介して当該携帯電話端末に送信する電子メール送信手段と、を備え、前記携帯電話端末は、前記携帯電話通信ネットワークを介して前記共同電子メールサーバ装置から電子メール着信通知を受信した場合、前記データ通信ネットワークを介して前記共同電子メールサーバ装置に自端末の識別情報を含む電子メール取得要求を送信する取得要求送信手段と、前記データ通信ネットワークを介して前記共同電子メールサーバ装置から前記電子メール情報を受信するメール受信手段と、を備えたことを特徴とする電子メール配信システムである。
【００１２】
本発明は、携帯電話通信ネットワークと、データ通信ネットワークと、前記携帯電話通信ネットワークと前記データ通信ネットワークに接続され予め電話番号と識別情報が付与される携帯電話端末と、前記携帯電話端末を宛先とする電子メール情報を受信する共同電子メールサーバ装置とを備えた電子メール配信システムにおける電子メール配信方法であって、前記共同電子メールサーバ装置が、前記携帯電話端末の電話番号と識別情報とを利用者情報記憶部に記録するステップと、前記共同電子メールサーバ装置が、前記データ通信ネットワークから前記識別情報を含む電子メール情報を受信するステップと、前記共同電子メールサーバ装置が、受信した前記電子メール情報を電子メール記憶部に記録するステップと、前記共同電子メールサーバ装置が、前記電子メール情報を前記電子メール記憶部に記録した際、記録した前記電子メール情報に含まれる前記識別情報に対応する前記電話番号を前記利用者情報記憶部から読み出すステップと、前記共同電子メールサーバ装置が、前記携帯電話通信ネットワークに読み出した前記電話番号を宛先として発信し、確立された回線を通じて電子メール着信通知を送信するステップと、前記携帯電話端末が、前記携帯電話通信ネットワークを介して前記共同電子メールサーバ装置から前記電子メール着信通知を受信するステップと、前記携帯電話端末が、前記電子メール着信通知を受信した場合、前記データ通信ネットワークを介して前記共同電子メールサーバ装置に自端末の識別情報を含む電子メール取得要求を送信するステップと、前記共同電子メールサーバ装置が、前記データ通信ネットワークを介して前記携帯電話端末から電子メール取得要求を受信するステップと、前記共同電子メールサーバ装置が、受信した電子メール取得要求に含まれる前記識別情報に対応する電子メール情報を前記電子メール記憶部から読み出すステップと、前記共同電子メールサーバ装置が、読み出した電子メール情報を当該携帯電話端末に送信するステップと、前記携帯電話端末が、前記データ通信ネットワークを介して前記共同電子メールサーバ装置から前記電子メール情報を受信するステップと、を含むことを特徴とする電子メール配信方法である。
【００１３】
本発明は、複数の携帯電話通信ネットワークと、データ通信ネットワークと、いずれか１つの前記携帯電話通信ネットワークと前記データ通信ネットワークに接続され予め電話番号と識別情報が付与される携帯電話端末と、前記携帯電話端末を宛先とする電子メール情報を受信する共同電子メールサーバ装置とを備えた電子メール配信システムにおける電子メール配信方法であって、前記共同電子メールサーバ装置が、前記携帯電話端末の接続先の携帯電話通信ネットワークを示す接続先情報と当該携帯電話端末の電話番号と識別情報とを利用者情報記憶部に記録するステップと、前記共同電子メールサーバ装置が、前記データ通信ネットワークから前記識別情報を含む電子メール情報を受信するステップと、前記共同電子メールサーバ装置が、受信した前記電子メール情報を電子メール記憶部に記録するステップと、前記共同電子メールサーバ装置が、前記電子メール情報を前記電子メール記憶部に記録した際、記録した前記電子メール情報に含まれる前記識別情報に対応する前記接続先情報と前記電話番号とを前記利用者情報記憶部から読み出すステップと、前記共同電子メールサーバ装置が、読み出した前記接続先情報に対応する前記携帯電話通信ネットワークを選択して接続するステップと、前記共同電子メールサーバ装置が、接続した前記携帯電話通信ネットワークに読み出した前記電話番号を宛先として発信し、確立された回線を通じて電子メール着信通知を送信するステップと、前記携帯電話端末が、前記携帯電話通信ネットワークを介して前記共同電子メールサーバ装置から前記電子メール着信通知を受信するステップと、前記携帯電話端末が、前記電子メール着信通知を受信した場合、前記データ通信ネットワークを介して前記共同電子メールサーバ装置に自端末の識別情報を含む電子メール取得要求を送信するステップと、前記共同電子メールサーバ装置が、前記データ通信ネットワークを介して前記携帯電話端末から電子メール取得要求を受信するステップと、前記共同電子メールサーバ装置が、受信した電子メール取得要求に含まれる前記識別情報に対応する電子メール情報を前記電子メール記憶部から読み出すステップと、前記共同電子メールサーバ装置が、読み出した電子メール情報を当該携帯電話端末に送信するステップと、前記携帯電話端末が、前記データ通信ネットワークを介して前記共同電子メールサーバ装置から前記電子メール情報を受信するステップと、を含むことを特徴とする電子メール配信方法である。
【００１４】
本発明は、携帯電話通信ネットワークとデータ通信ネットワークとに接続され、予め電話番号及び識別情報が付与される携帯電話端末を宛先とする電子メール情報を受信する共同電子メールサーバ装置に具備されるコンピュータに、前記携帯電話端末の電話番号と識別情報とを利用者情報記憶部に記録するステップと、前記識別情報を含む電子メール情報を受信するステップと、受信する前記電子メール情報を電子メール記憶部に記録するステップと、前記電子メール情報を前記電子メール記憶部に記録した際、記録した前記電子メール情報に含まれる前記識別情報に対応する前記電話番号を前記利用者情報記憶部から読み出すステップと、前記携帯電話通信ネットワークに読み出した前記電話番号を宛先として発信し、確立された回線を通じて電子メール着信通知を送信するステップと、前記データ通信ネットワークを介して前記携帯電話端末から電子メール取得要求を受信するステップと、受信した電子メール取得要求に含まれる前記識別情報に対応する電子メール情報を前記電子メール記憶部から読み出すステップと、読み出した電子メール情報を前記データ通信ネットワークを介して当該携帯電話端末に送信するステップと、を実行させるためのコンピュータプログラムである。
【００１５】
本発明は、複数の携帯電話通信ネットワークとデータ通信ネットワークとに接続され、予め電話番号及び識別情報が付与される携帯電話端末を宛先とする電子メール情報を受信する共同電子メールサーバ装置に具備されるコンピュータに、前記携帯電話端末の接続先の携帯電話通信ネットワークを示す接続先情報と当該携帯電話端末の電話番号と識別情報とを利用者情報記憶部に記録するステップと、前記識別情報を含む電子メール情報を受信するステップと、受信する前記電子メール情報を電子メール記憶部に記録するステップと、前記電子メール情報を前記電子メール記憶部に記録した際、記録した前記電子メール情報に含まれる前記識別情報に対応する前記接続先情報と前記電話番号とを前記利用者情報記憶部から読み出すステップと、読み出した前記接続先情報に対応する前記携帯電話通信ネットワークを選択して接続するステップと、接続する前記携帯電話通信ネットワークに読み出した前記電話番号を宛先として発信し、確立された回線を通じて電子メール着信通知を送信するステップと、前記データ通信ネットワークを介して前記携帯電話端末から電子メール取得要求を受信するステップと、受信した電子メール取得要求に含まれる前記識別情報に対応する電子メール情報を前記電子メール記憶部から読み出すステップと、読み出した電子メール情報を前記データ通信ネットワークを介して当該携帯電話端末に送信するステップと、を実行させるためのコンピュータプログラムである。
【発明の効果】
【００１６】
この発明によれば、共同電子メールサーバ装置は、識別情報を含む電子メール情報を受信し、受信する電子メール情報を電子メール記憶部に記録し、電子メール情報を電子メール記憶部に記録した際、記録した電子メール情報に含まれる識別情報に対応する電話番号を利用者情報記憶部から読み出し、携帯電話通信ネットワークに読み出した電話番号を宛先として発信し、確立された回線を通じて電子メール着信通知を送信する。また、データ通信ネットワークを介して携帯電話端末から電子メール取得要求を受信し、受信した電子メール取得要求に含まれる識別情報に対応する電子メール情報を電子メール記憶部から読み出し、読み出した電子メール情報をデータ通信ネットワークを介して当該携帯電話端末に送信する構成とした。これにより、共同電子メールサーバ装置は、携帯電話通信ネットワークを電子メール着信通知を送信するためだけに利用し、データ通信ネットワークにより携帯電話端末に電子メール情報を送信することを可能にすることができる。それにより、任意の携帯電話通信ネットワークを利用して携帯電話端末に対する電子メールサービスを提供することが可能となり、ユーザが契約先の携帯電話通信事業者を変更した場合であっても、電子メールアドレスを変更せずに継続して使用し続けることが可能となる。
【００１７】
また、本発明によれば、共同電子メールサーバ装置は、データ通信ネットワークを介して前記携帯電話端末から携帯電話端末の電話番号と識別情報とを含む登録要求を受信した場合、登録要求に含まれる電話番号と識別情報とを対応付けて利用者情報記憶部へ記録する構成とした。これにより、ユーザは携帯電話端末を利用して、データ通信ネットワークを介してオンラインで当該サービスを利用するための情報を登録することが可能となる。
【００１８】
この発明によれば、共同電子メールサーバ装置は、識別情報を含む電子メール情報を受信し、受信する電子メール情報を電子メール記憶部に記録し、電子メール情報を電子メール記憶部に記録した際、記録した電子メール情報に含まれる識別情報に対応する接続先情報と電話番号とを利用者情報記憶部から読み出し、読み出した接続先情報に対応する携帯電話通信ネットワークを選択して接続し、接続する携帯電話通信ネットワークに読み出した電話番号を宛先として発信し、確立された回線を通じて電子メール着信通知を送信する。また、データ通信ネットワークを介して携帯電話端末から電子メール取得要求を受信し、受信した電子メール取得要求に含まれる識別情報に対応する電子メール情報を電子メール記憶部から読み出し、読み出した電子メール情報をデータ通信ネットワークを介して当該携帯電話端末に送信する構成とした。これにより、共同電子メールサーバ装置は、接続先情報に対応する携帯電話通信ネットワークを選択して接続し、接続する携帯電話通信ネットワークを電子メール着信通知を送信するためだけに利用し、データ通信ネットワークにより携帯電話端末に電子メール情報を送信することを可能にすることができる。それにより、任意の携帯電話通信ネットワークを利用して携帯電話端末に対する電子メールサービスを提供することが可能となり、ユーザが契約先の携帯電話通信事業者を変更した場合であっても、電子メールアドレスを変更せずに継続して使用し続けることが可能となる。
【００１９】
また、本発明によれば、共同電子メールサーバ装置は、データ通信ネットワークを介して前記携帯電話端末から当該携帯電話端末の接続先の携帯電話通信ネットワークを示す接続先情報と当該携帯電話端末の電話番号と識別情報とを含む登録要求を受信した場合、登録要求に含まれる接続先情報と電話番号と識別情報とを対応付けて利用者情報記憶部へ記録する構成とした。これにより、ユーザは携帯電話端末を利用して、データ通信ネットワークを介してオンラインで当該サービスを利用するための情報を登録することが可能となる。
【００２０】
また、本発明によれば、電子メール配信システムは、共同電子メールサーバ装置と携帯電話端末とを備え、共同電子メールサーバ装置は、識別情報を含む電子メール情報を受信し、受信する電子メール情報を電子メール記憶部に記録し、電子メール情報を電子メール記憶部に記録した際、記録した電子メール情報に含まれる識別情報に対応する電話番号を利用者情報記憶部から読み出し、携帯電話通信ネットワークに読み出した電話番号を宛先として発信し、確立された回線を通じて電子メール着信通知を送信する。携帯電話端末は、携帯電話通信ネットワークを介して共同電子メールサーバ装置から電子メール着信通知を受信し、データ通信ネットワークを介して共同電子メールサーバ装置に自端末の識別情報を含む電子メール取得要求を送信する。また、共同電子メールサーバ装置は、データ通信ネットワークを介して携帯電話端末から電子メール取得要求を受信し、受信した電子メール取得要求に含まれる識別情報を含む電子メール情報を電子メール記憶部から読み出し、読み出した電子メール情報をデータ通信ネットワークを介して当該携帯電話端末に送信する。携帯電話端末は、データ通信ネットワークを介して共同電子メールサーバ装置から電子メール情報を受信する構成とした。これにより、共同電子メールサーバ装置は、携帯電話通信ネットワークを電子メール着信通知を送信するためだけに利用し、当該電子メール着信通知を携帯電話通信ネットワークを介して受信した携帯電話端末は、電子メール着信要求をデータ通信ネットワークを介して共同電子メールサーバ装置に送信して電子メール情報を取得することを可能にすることができる。それにより、任意の携帯電話通信ネットワークを利用して携帯電話端末に対する電子メールサービスを提供することが可能となる。
【００２１】
また、本発明によれば、電子メール配信システムは、共同電子メールサーバ装置と携帯電話端末とを備え、共同電子メールサーバ装置は、識別情報を含む電子メール情報を受信し、受信する電子メール情報を電子メール記憶部に記録し、電子メール情報を電子メール記憶部に記録した際、記録した電子メール情報に含まれる識別情報に対応する接続先情報と電話番号とを利用者情報記憶部から読み出し、読み出した接続先情報に対応する携帯電話通信ネットワークを選択して接続し、接続する携帯電話通信ネットワークに読み出した電話番号を宛先として発信し、確立された回線を通じて電子メール着信通知を送信する。携帯電話端末は、携帯電話通信ネットワークを介して共同電子メールサーバ装置から電子メール着信通知を受信し、データ通信ネットワークを介して共同電子メールサーバ装置に自端末の識別情報を含む電子メール取得要求を送信する。また、共同電子メールサーバ装置は、データ通信ネットワークを介して携帯電話端末から電子メール取得要求を受信し、受信した電子メール取得要求に含まれる識別情報を含む電子メール情報を電子メール記憶部から読み出し、読み出した電子メール情報をデータ通信ネットワークを介して当該携帯電話端末に送信する。携帯電話端末は、データ通信ネットワークを介して共同電子メールサーバ装置から電子メール情報を受信する構成とした。これにより、共同電子メールサーバ装置は、接続先情報に対応する携帯電話通信ネットワークを選択して接続し、接続する携帯電話通信ネットワークを電子メール着信通知を送信するためだけに利用し、当該電子メール着信通知を携帯電話通信ネットワークを介して受信した携帯電話端末は、電子メール着信要求をデータ通信ネットワークを介して共同電子メールサーバ装置に送信して電子メール情報を取得することを可能にすることができる。それにより、任意の携帯電話通信ネットワークを利用して携帯電話端末に対する電子メールサービスを提供することが可能となる。
【発明を実施するための最良の形態】
【００２２】
以下、本発明の実施形態を図面を参照して説明する。
図１は、本実施形態による電子メール配信システム１を示す概略ブロック図である。
【００２３】
最初に、本実施形態が対象としている電子メールサービスは、携帯電話通信事業者が提供するｉモード（登録商標）サービスのようにそれぞれの携帯電話通信事業者が自ら運営する電子メールサーバ装置を利用して行われる電子メールサービスではなく、インターネット網１００に接続される電子メールサーバ装置３０に電子メール情報が蓄積されるいわゆるインターネットの電子メールサービスである。以下の説明で電子メールサービスとは、当該インターネットの電子メールサービスであることを示している。
【００２４】
図１に示す電子メール配信システム１において、複数の携帯電話網１０Ａ〜１０Ｚは、それぞれ異なる携帯電話通信事業者によって運営される携帯電話網である。基地局装置１１Ａ〜１１Ｚは、それぞれ対応する携帯電話網１０Ａ〜１０Ｚに接続され、携帯電話端末５０との間で無線信号を送受信する。ＧＷ（ＧａｔｅＷａｙ）１２Ａ〜１２Ｚは、一方で、それぞれに対応する携帯電話通信事業者の基地局装置１１Ａ〜１１Ｚに接続され、他方でインターネット網１００に接続されており、携帯電話端末５０とインターネット網１００との間で電子メール情報等を送受信する。
【００２５】
共同電子メールサーバシステム２００は、電子メールサーバ装置３０と利用者情報サーバ装置２０とＳＭＳサーバ装置４０とを備えており、携帯電話通信事業者を変更しても、同一の電子メールアドレスを継続して使用し続けることできる電子メールサービスを携帯電話端末５０のユーザに対して提供するサーバシステムである。電子メールサーバ装置３０において、接続部３１は、インターネット網１００に接続される。送受信部３２は、携帯電話端末５０に予め付与される電子メールアドレス宛ての電子メール情報をインターネット網１００から受信する。また、送受信部３２は、インターネット網１００を介して携帯電話端末５０から電子メール取得要求を受信する。また、送受信部３２は、ＤＢ（Data Base）管理部３３が読み出した電子メール情報をインターネット網１００を介して携帯電話端末５０に送信する。
【００２６】
ＤＢ管理部３３は、送受信部３２がインターネット網１００から受信した電子メール情報を図３に示すデータ構成の電子メールＤＢ(Data Base)３４に宛先の電子メールアドレスに対応付けて電子メール情報を記録する。また、ＤＢ管理部３３は、記録した宛先の電子メールアドレスの情報を通知部３５に出力する。また、ＤＢ管理部３３は、送受信部３２が電子メール取得要求を受信した場合、受信した電子メール取得要求に含まれる電子メールアドレスを含む読出指示情報を送受信部３２から受けて、当該電子メールアドレスに一致する電子メールアドレスを宛先電子メールアドレスとする電子メール情報を電子メールＤＢ３４から検索し、検索した電子メール情報を送受信部３２に出力する。通知部３５は、ＤＢ管理部３３から出力される電子メールアドレスの情報をＳＭＳ送信部４２に送信する。
【００２７】
利用者情報サーバ装置２０において、接続部２４はインターネット網１００に接続される。ウェブ処理部２１は、接続部２４を介して携帯電話端末５０から接続要求を受信し、受信した接続要求に基づいて、サービスを利用するユーザが携帯電話端末５０を利用してユーザ登録するためのウェブページ情報を送信するウェブサーバの機能を有している。ＤＢ管理部２２は、ウェブ処理部２１がインターネット網１００を介して携帯電話端末５０から受信する登録要求に含まれる登録情報を利用者情報ＤＢ(Data Base)２３に記録する。また、ＤＢ管理部２２は、ＳＭＳ送信部４２から電子メールアドレスを含む検索要求を受信し、検索要求に含まれる電子メールアドレスを含むエントリを利用者情報ＤＢ２３から検索し、検索したエントリから接続先識別情報と電話番号とを読み出し、読み出した接続先識別情報と電話番号とを検索結果としてＳＭＳ送信部４２に出力する。
【００２８】
ここで、上記の登録情報とは、図２に示すように、利用者情報サーバ装置２０が携帯電話端末５０に付与する電子メールアドレス、ユーザが契約している携帯電話端末５０の接続先の携帯電話通信事業者を示す接続先識別情報、携帯電話端末５０に予め付与される電話番号及び携帯電話端末固有のＩＤであるＵＩＤを含んでいる。
【００２９】
ＳＭＳサーバ装置４０は、携帯電話網１０Ａ〜１０Ｚを介して携帯電話端末５０にＳＭＳ(Short Message Service)情報により電子メール着信通知を送信する。ＳＭＳサーバ装置４０において、接続部４１は、複数の携帯電話網１０Ａ〜１０Ｚに接続され、ＳＭＳ送信部４２からの選択指示情報に従っていずれかの１つの携帯電話網１０Ａ〜１０Ｚに接続を切り替える。ＳＭＳ送信部４２は、電子メールサーバ装置３０の通知部３５から電子メールアドレスの情報を受信し、受信した電子メールアドレスの情報を含む検索要求を利用者情報サーバ装置２０のＤＢ管理部２２に送信する。また、ＳＭＳ送信部４２は、ＤＢ管理部２２から出力される検索結果に含まれる接続先識別情報と電話番号とを読み出し、読み出した接続先識別情報を含む選択指示情報を接続部４１に入力する。また、ＳＭＳ送信部４２は、選択指示情報を接続部４１に入力した後、読み出した電話番号に基づいて発信し、確立された回線を通じて携帯電話端末５０に電子メール着信通知を送信する。
【００３０】
携帯電話端末５０は、予めユーザにより契約された何れか１つの携帯電話通信事業者が運営する基地局装置１１Ａ〜１１Ｚを接続先とし、また、当該携帯電話通信事業者により一意に識別可能な電話番号が付与される。また、本実施形態の共同電子メールサーバシステム２００の運営者からユーザに付与される電子メールアドレスを内部に記憶する。携帯電話端末５０において、操作部５１は、ユーザのキーボード操作を検出し、検出したキーボード操作に基づく情報を入力する。メール送信部５５は、操作部５１からの入力により内部に記憶している電子メールアドレスを送信元の電子メールアドレスとする電子メール情報を生成し、生成した電子メール情報を基地局装置１１Ａ〜１１Ｚ及びＧＷ１２Ａ〜１２Ｚを介してインターネット網１００に送出する。
【００３１】
メール受信部５４は、電子メールサーバ装置３０の電子メールＤＢ３４に記憶されている電子メール情報をインターネット網１００、ＧＷ１２Ａ〜１２Ｚ及び基地局装置１１Ａ〜１１Ｚを介して電子メールサーバ装置３０から受信する。ＳＭＳ受信処理部５３は、ＳＭＳ情報として送信される電子メール着信通知を携帯電話網１０Ａ〜１０Ｚ、基地局装置１１Ａ、１１Ｚを介して受信する。また、ＳＭＳ受信処理部５３は、受信したＳＭＳ情報に基づいて基地局装置１１Ａ〜１１Ｚ、ＧＷ１２Ａ〜１２Ｚ及びインターネット網１００を介して電子メールサーバ装置３０に電子メール取得要求を送信する。登録情報処理部５２は、操作部５１から入力される情報に従って利用者情報サーバ装置２０に基地局装置１１Ａ〜１１Ｚ、ＧＷ１２Ａ〜１２Ｚ及びインターネット網１００を介して接続し、接続要求、あるいは登録情報を含む登録要求を利用者情報サーバ装置２０に送信する。
【００３２】
次に、図４から図６を参照して、電子メール配信システム１の動作について説明する。
なお、以下の説明において、ユーザが契約している携帯電話通信事業者が運営する携帯電話網は図１における携帯電話網１０Ａであるとする。
【００３３】
図４は、ユーザが携帯電話端末５０を操作して、利用者情報サーバ装置２０の利用者情報ＤＢ２３に登録を行う際の処理を示したシーケンス図である。
最初に、ユーザが携帯電話端末５０の操作部５１を操作し、例えば利用者情報サーバ装置２０のＵＲＬ(Universal Resource Locator)入力を行うと（ステップＳａ１）、登録情報処理部５２は、入力されたＵＲＬを含む接続要求を含む無線信号を基地局装置１１Ａに送信する。基地局装置１１Ａは、受信した無線信号に含まれる接続要求がインターネット網１００向けの通信であることを検出し、接続要求をＧＷ１２Ａに出力し、ＧＷ１２Ａはインターネット網１００に接続要求を送信する。接続要求はインターネット網１００により利用者情報サーバ装置２０に至るまで転送される（ステップＳａ２）。利用者情報サーバ装置２０のウェブ処理部２１は、接続部２４を介して接続要求を受信し、受信した接続要求に基づいて内部に記憶しているユーザ登録用のウェブページ情報を読み出し、インターネット網１００、ＧＷ１２Ａ〜１２Ｚ及び基地局装置１１Ａ〜１１Ｚを介して携帯電話端末５０に送信する（ステップＳａ３）。
【００３４】
携帯電話端末５０は、ウェブページの情報を受信して画面に表示し、ユーザが操作部５１を操作して登録情報を入力する。例えば、画面に表示されるウェブページには、ユーザが登録を希望する電子メールアドレスの入力欄、携帯電話通信事業者を示す接続先識別情報を選択するメニュー欄、電話番号の入力欄、ＵＩＤの入力欄が表示される。ユーザは操作部５１を操作して、希望する電子メールアドレスのユーザ名を電子メールアドレスの入力欄に入力し、契約している携帯電話通信事業者の名称をメニュー欄において選択し、携帯電話端末５０に付与されている電話番号とＵＩＤとをそれぞれの入力欄にする（ステップＳａ４）。
【００３５】
なお、電子メールアドレスのドメイン名の部分については、電子メールサーバ装置３０に付与されているドメイン名が固定的に付与されることになるが、このドメイン名についても電子メールサーバ装置３０が複数のドメイン名を有する場合、ユーザに幾つかのドメイン名の候補の中から選択させるようにしてもよい。
【００３６】
ユーザは、登録情報を入力した後、操作部５１を操作して、ウェブページの送信ボタン等を選択する、登録情報処理部５２は、操作部５１からの入力を受けて、登録情報を含む登録要求を無線信号により基地局装置１１Ａに送信する（ステップＳａ５）。基地局装置１１Ａは、インターネット網１００向けの通信であることを検出し、受信した登録要求をＧＷ１２Ａに出力し、ＧＷ１２Ａはインターネット網１００に登録要求を送出する。送出された登録要求はインターネット網１００により利用者情報サーバ装置２０に至るまで転送される。利用者情報サーバ装置２０のウェブ処理部２１は、接続部２４を介して登録要求を受信し、受信した登録要求に含まれる登録情報をＤＢ管理部２２に入力する。
【００３７】
ＤＢ管理部２２は、入力される登録情報に含まれる電子メールアドレスと同一の電子メールアドレスを含むエントリを検索する。同一の電子メールアドレスを含むエントリが存在しない場合、ＤＢ管理部２２は、登録情報を利用者情報ＤＢ２３に記録し（ステップＳａ６）、登録完了を示す情報をウェブ処理部２１に出力する。ウェブ処理部２１は、当該登録完了を示す情報が入力されると、登録完了通知をインターネット網１００、ＧＷ１２Ａ及び基地局装置１１Ａを介して携帯電話端末５０に送信する（ステップＳａ７）。一方、利用者情報ＤＢ２３に、入力される登録情報に含まれる電子メールアドレスと同一の電子メールアドレスを含むエントリが存在した場合、ＤＢ管理部２２は、登録不可であることをウェブ処理部２１に通知し、当該通知を受けたウェブ処理部２１は、携帯電話端末５０に登録不可であることを示す情報を含むメッセージを応答として送信する。このとき、ユーザは別のユーザ名を指定して登録処理を繰り返すことになる。
【００３８】
次に、図５を参照して、電子メール配信システム１における電子メール情報の配信処理について説明する。
【００３９】
最初に、インターネット網１００に接続される何れかの端末から携帯電話端末５０に付与された電子メールアドレスを宛先とする電子メール情報がインターネット網１００に送出され、送出された電子メール情報がインターネット網１００により電子メールサーバ装置３０に至るまで転送される。電子メールサーバ装置３０の送受信部３２は、接続部３１を介して当該電子メール情報を受信し、受信した電子メール情報をＤＢ管理部３３に入力する。（ステップＳｂ１）。
【００４０】
ＤＢ管理部３３は、入力される電子メール情報から宛先電子メールアドレスを読み出し、読み出した宛先電子メールアドレスと電子メール情報とを対応付けて電子メールＤＢ３４に記録する（ステップＳｂ２）。次に、ＤＢ管理部３３は、記録した電子メールアドレスの情報を通知部３５に入力する。通知部３５は、入力される電子メールアドレスの情報をＳＭＳサーバ装置４０のＳＭＳ送信部４２に送信する（ステップＳｂ３）。ＳＭＳ送信部４２は、通知部３５から受信した電子メールアドレスの情報を含む検索要求を利用者情報サーバ装置２０のＤＢ管理部２２に送信する（ステップＳｂ４）。
【００４１】
ＤＢ管理部２２は、ＳＭＳ送信部４２から受信した電子メールアドレスの情報と一致する電子メールアドレスを含むエントリを利用者情報ＤＢ２３から検索し、検索したエントリに含まれる接続先識別情報と電話番号とを読み出す(ステップＳｂ５)。そして、ＤＢ管理部２２は、読み出した接続先識別情報と電話番号とを含む検索応答をＳＭＳ送信部４２に送信する（ステップＳｂ６）。
【００４２】
ＳＭＳ送信部４２は、受信した検索応答から接続先識別情報を読み出し、読み出した接続先識別情報を含む選択指示情報を接続部４１に入力する。接続部４１は、入力される選択指示情報に含まれる接続先識別情報に対応する携帯電話網１０Ａに接続を切り替える。次に、ＳＭＳ送信部４２は、受信した検索応答から電話番号を読み出し、読み出した電話番号に基づいて携帯電話網１０Ａに発信して携帯電話端末５０との間で回線を確立し、確立された回線を通じて電子メール着信通知を送信する（ステップＳｂ７）。
【００４３】
携帯電話端末５０のＳＭＳ受信処理部５３は、基地局装置１１Ａから送信されるＳＭＳ情報を含む無線信号を受信し、受信した無線信号に含まれるＳＭＳ情報を読み出し、ＳＭＳ情報の受信処理を行う（ステップＳｂ８）。ＳＭＳ受信処理部５３は、読み出したＳＭＳ受信情報に電子メール着信通知が含まれていることを検出すると、自端末の電子メールアドレスを含む電子メール取得要求を生成し、生成した電子メール取得要求を含む無線信号を基地局装置１１Ａに送信する。基地局装置１１Ａは、受信した無線信号に含まれる電子メール取得要求がインターネット網１００向けの通信であることを検出し、電子メール取得要求をＧＷ１２Ａに出力し、ＧＷ１２Ａはインターネット網１００に電子メール取得要求を送信する。
【００４４】
電子メール取得要求はインターネット網１００により電子メールサーバ装置３０に至るまで転送される。電子メールサーバ装置３０の送受信部３２は、接続部３１を介して携帯電話端末５０から電子メール取得要求を受信し、受信した電子メール取得要求に含まれる電子メールアドレスの情報を読み出す。そして、送受信部３２は、読み出した電子メールアドレスの情報を含む読出指示情報をＤＢ管理部３３に入力する。ＤＢ管理部３３は、入力される読出指示情報に含まれる電子メールアドレスの情報と一致するエントリを電子メールＤＢ３４から検索し、検索した読出指示情報に含まれる電子メールアドレスの情報と一致するエントリに含まれる電子メール情報を電子メールＤＢ３４から読み出す（ステップＳｂ１０）。
【００４５】
ＤＢ管理部３３は、読み出した電子メール情報を送受信部３２に入力し、送受信部３２は、接続部３１を介してインターネット網１００に入力される電子メール情報を送出する（ステップＳｂ１１）。当該電子メール情報は、インターネット網１００によりＧＷ１２Ａに至るまで転送される。ＧＷ１２Ａは受信した電子メール情報を基地局装置１１Ａに送信し、基地局装置１１Ａは、ＧＷ１２Ａから受信した電子メール情報を含む無線信号を携帯電話端末５０に送信する（ステップＳｂ１１）。携帯電話端末５０のメール受信部５４は、受信した無線信号から電子メール情報を読み出し、読み出した電子メール情報を画面に表示するか、あるいは内部の記憶領域に記録する。
【００４６】
ここで、図５のステップＳｂ８のＳＭＳ受信処理の詳細について、図６を参照して説明する。図６で説明するＳＭＳ受信処理に係るＳＭＳの方式は、ＯＭＡ(Open Mobile Alliance)で標準化された方式であり、電子メール自動着信のための処理を備えている。
最初に、携帯電話端末５０のＳＭＳ受信処理部５３がＳＭＳ情報を受信する（ステップＳｃ１、ステップＳｂ７）。ＳＭＳ受信処理部５３は、受信したＳＭＳ情報が電子メールの自動受信を行うための特殊なＳＭＳ情報であるか否かを判定する（ステップＳｃ２）。ここで、特殊なＳＭＳ情報であるか否かは、ＳＭＳ情報のヘッダに含まれる情報に基づいて判断される。ＳＭＳ受信処理部５３は、特殊なＳＭＳ情報でないと判定した場合、通常のＳＭＳ受信動作を行う。ここで、通常のＳＭＳ受信動作とは、受信したＳＭＳ情報に含まれるメッセージを画面に表示する動作等のことをいう（ステップＳｃ３）。
【００４７】
一方、ＳＭＳ受信処理部５３は、特殊なＳＭＳ情報であると判定した場合、次に、ＳＭＳ情報のヘッダに「電子メール着信通知」の情報が含まれているか否かを判定する（ステップＳｃ４）。ＳＭＳ受信処理部５３は、ＳＭＳ情報のヘッダに「電子メール着信通知」の情報が含まれていないと判定した場合、受信したＳＭＳ情報を破棄する（ステップＳｃ５）。一方、ＳＭＳ受信処理部５３は、ＳＭＳ情報のヘッダに「電子メール着信通知」の情報が含まれていると判定した場合、ＳＭＳ情報に含まれる電子メールアドレスが、携帯電話端末５０の内部の設定において自動受信として設定されているか否かを判定する（ステップＳｃ６）。ＳＭＳ受信処理部５３は、ＳＭＳ情報に含まれる電子メールアドレスが、自動受信として設定されていないと判定した場合、受信したＳＭＳ情報を破棄する（ステップＳｃ５）。一方、ＳＭＳ受信処理部５３は、ＳＭＳ情報に含まれる電子メールアドレスが、自動受信として設定されていると判定した場合、電子メール取得要求をインターネット網１００に送出する（ステップＳｃ７、ステップＳｂ９）。
【００４８】
上記の実施形態の構成により、契約先の携帯電話通信事業者を変更した場合であっても、電子メールアドレスを変更せずに継続して使用し続けることが可能となる。また、現状の携帯電話通信事業者により提供される電子メールサービスと同様に、電子メールの着信を通知することができ、さらに、ＯＭＡで標準化されたＳＭＳ方式を備えた携帯電話端末では当該着信通知を受信して、ユーザの操作を介在させることなく電子メールサーバ装置に電子メール取得要求を送信して、電子メールサーバ装置から電子メール情報を受信することができる。
【００４９】
また、現在の携帯電話通信事業者のサービスでは、契約先の携帯電話通信事業者を変更しなくても電話番号を変更することにより、それに伴って電子メールアドレスを変更する必要があったが、上記の実施形態では、電話番号を変更した場合であっても電子メールアドレスを変更せずに継続して利用することができる。これにより、ナンバーポータビリティ制度が導入されると、携帯電話通信事業者を変更しても、電話番号とともに電子メールアドレスも変更する必要がなくなるため、契約先の変更の障壁がなくなる。
【００５０】
また、現在の携帯電話通信事業者のサービスでは、解約した場合や、紛失して利用停止とした場合や、携帯電話端末が故障した場合には電子メールサービスを使用することができなくなるが、本実施形態の構成では、新たに契約した携帯電話端末や、他の携帯電話端末があれば、当該携帯電話端末にて同一の電子メールアドレスで電子メールサービスを継続して利用することが可能である。
【００５１】
また、上記の実施形態に係る共同電子メールサーバシステム２００を導入することで、新規に参入する携帯電話通信事業者は、自ら電子メールサービスのシステムを構築することなく、電子メールサービスを開始することが可能となる。この場合、携帯電話網は１つであってもよく、ＳＭＳサーバ装置４０の接続部４１は、当該１つの携帯電話網に固定的に接続されることになり、上記の処理において、接続先識別情報を用いない構成とすることができる。
【００５２】
また、上記の実施形態に係る共同電子メールサーバシステム２００を導入したとしても、既存の携帯通信事業者は設備の変更をする必要がなく、また、自ら電子メールサービスを運営している場合であっても、電子メール情報のトラヒック自体が減少するわけではないため、導入における経済的な障害がないという効果を有する。
【００５３】
また、従来の携帯電話通信事業者が運営する電子メールサービスでは、携帯電話端末５０の電源が切られていた場合や、基地局装置からの圏外になっていた場合、携帯電話通信事業者が管理するサーバに蓄積されている。そして、携帯電話端末の電源が投入された場合や、圏内になった場合、自動的にサーバから送信されることはなく、次の再送時に、サーバから電子メール情報が携帯電話端末に送信される構成になっている。一方、本実施形態では、ＳＭＳ方式を用いているため、携帯電話端末の電源が投入された場合や、圏内になった場合、ＳＭＳ送信部４２は通知できなかった電子メール着信通知について、自律的に発信して携帯電話端末５０との間で回線を確立し、確立された回線を通じて電子メール着信通知を送信する。そのため、ユーザが操作して携帯電話端末５０から要求することなく、また、次の再送を待機することなく、電子メール情報を受信することができ、従来に比べて、電子メール情報を受信するまでの時間を短縮することが可能となる。
【００５４】
なお、上記の実施形態において、電子メールサーバ装置３０のＤＢ管理部３３は通知部３５に電子メールアドレスの情報を出力するようにしているが、本発明はこれに限られず、受信した電子メール情報にＵＩＤが含まれている場合には、ＵＩＤを通知部３５に出力し、ＳＭＳ送信部４２は、以降の処理を電子メールアドレスの代わりにＵＩＤを用いて行うようにしてもよい。また、受信した電子メール情報にＵＩＤが含まれている場合には、電子メールＤＢ３４についても、宛先電子メールアドレスではなく、ＵＩＤに対応付けて電子メール情報を記憶して電子メール取得要求にはＵＩＤを含めるようにしてもよい。
【００５５】
また、上記の実施形態において、電子メール取得要求には、電子メールアドレスが含まれるとしていたが、本発明は、この実施形態に限られず、ユーザが自ら設定したパスワードを含めるようにしてもよい。その場合、電子メール取得要求に含まれる情報は、電子メールアドレスとパスワードの組み合わせか、ＵＩＤとパスワードの組み合わせとなる。また、このとき、電子メールＤＢ３４に記憶される情報は、電子メールアドレスとパスワードと電子メール情報の組み合わせ、あるいはＵＩＤとパスワードと電子メール情報の組み合わせとなる。そして、ＤＢ管理部３３が電子メール取得要求に含まれるパスワードと電子メールＤＢ３４に記憶されるパスワードとが一致するか否かを判定し、一致する場合に電子メール情報を電子メールＤＢ３４から読み出して携帯電話端末５０に送信するようにしてもよい。
【００５６】
また、本発明に記載の携帯電話通信ネットワークは、携帯電話網１０Ａ〜１０Ｚに対応し、データ通信ネットワークは、インターネット網１００に対応する。本発明に記載の共同電子メールサーバ装置は、共同電子メールサーバシステム２００に対応する。また、本発明に記載の第１の接続手段は、接続部４１に対応し、第２の接続手段は、接続部２４と接続部３１とに対応する。また、本発明に記載の利用者情報記憶部は、利用者情報ＤＢ２３に対応し、電子メール受信手段及び電子メール送信手段は、送受信部３２に対応し、第１の記録手段は、ＤＢ管理部３３に対応し、読出手段は、通知部３５、ＳＭＳ送信部４２、ＤＢ管理部２２を一体とした構成に対応する。
【００５７】
また、本発明に記載の送信手段は、ＳＭＳ送信部４２に対応する。また、本発明に記載の第２の記録手段は、ＤＢ管理部２２に対応する。また、本発明に記載の識別情報とは電話番号あるいはＵＩＤに対応する。
【００５８】
また、本発明に記載の電子メール配信システムは、電子メール配信システム１に対応する。また、本発明に記載の取得要求送信手段は、ＳＭＳ受信処理部５３に対応し、メール受信手段は、メール受信部５４に対応する。
【００５９】
上述の電子メールサーバ装置３０、利用者情報サーバ装置２０、ＳＭＳサーバ装置４０は内部に、コンピュータシステムを有している。そして、上述した利用者情報の登録処理、電子メール情報の配信処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【図面の簡単な説明】
【００６０】
【図１】本実施形態における電子メール配信システムの構成を示すブロック図である。
【図２】同実施形態における利用者情報ＤＢのデータ構成を示した図である。
【図３】同実施形態における電子メールＤＢのデータ構成を示した図である。
【図４】同実施形態における利用者情報登録処理の流れを示したシーケンス図である。
【図５】同実施形態における電子メール情報の配信処理の流れを示したシーケンス図である。
【図６】同実施形態におけるＳＭＳ受信処理の流れを示したフローチャートである。
【符号の説明】
【００６１】
１    電子メール配信システム
１０Ａ〜１０Ｚ  携帯電話網
１１Ａ〜１１Ｚ  基地局装置
１２Ａ〜１２Ｚ  ＧＷ
２０  利用者情報サーバ装置
２１  ウェブ処理部
２２  ＤＢ管理部
２３  利用者情報ＤＢ
２４  接続部
３０  電子メールサーバ装置
３１  接続部
３２  送受信部
３３  ＤＢ管理部
３４  電子メールＤＢ
３５  通知部
４０  ＳＭＳサーバ装置
４１  接続部
４２  ＳＭＳ送信部
５０  携帯電話端末
５１  操作部
５２  登録情報処理部
５３  ＳＭＳ受信処理部
５４  メール受信部
５５  メール送信部
１００  インターネット網
【図１】
2007134964.tif 000003
【図２】
2007134964.tif 000004
【図３】
2007134964.tif 000005
【図４】
2007134964.tif 000006
【図５】
2007134964.tif 000007
【図６】
2007134964.tif 000008
【手続補正書】
【提出日】平成18年4月10日(2006.4.10)
【手続補正１】
【補正対象書類名】特許請求の範囲
【補正対象項目名】全文
【補正方法】変更
【補正の内容】
【特許請求の範囲】
【請求項１】
予め電話番号と電子メールアドレスが付与される携帯電話端末と、前記携帯電話端末に接続されるデータ通信ネットワークと、各々が基地局装置を有し自ネットワークの基地局装置を通じて前記携帯電話端末との接続を可能とする複数の携帯電話通信ネットワークであっていずれか１つが前記ユーザの携帯電話端末の接続先として選択され、いずれが接続先として選択されても前記電話番号の変更を伴うことなく当該電話番号に対応する携帯電話端末との接続を可能とする複数の携帯電話通信ネットワークと、前記電子メールアドレスを含む電子メール情報を受信する共同電子メールサーバ装置とを備えた電子メール配信システムにおける共同電子メールサーバ装置であって、
ユーザが接続先として選択する携帯電話通信電話ネットワークを示す接続先情報と前記電話番号と前記電子メールアドレスとを記憶する利用者情報記憶部と、
前記接続先情報の入力を受けて、前記複数の携帯電話通信ネットワークの中から前記接続先情報に対応する携帯電話通信ネットワークを選択して接続する第１の接続手段と、
前記データ通信ネットワークに接続する第２の接続手段と、
前記第２の接続手段を介して前記電子メールアドレスを含む電子メール情報を受信する電子メール受信手段と、
前記電子メール受信手段が受信する前記電子メール情報を電子メール記憶部に記録する第１の記録手段と、
前記第１の記録手段が前記電子メール情報を前記電子メール記憶部に記録した際、前記第１の記録手段が記録した前記電子メール情報に含まれる前記電子メールアドレスに対応する前記接続先情報と前記電話番号とを前記利用者情報記憶部から読み出す読出手段と、
前記読出手段が読み出した前記接続先情報を前記第１の接続手段に入力し、前記第１の接続手段が選択して接続する前記携帯電話通信ネットワークに前記読出手段が読み出した前記電話番号を宛先として発信し、確立された回線を通じて電子メール着信通知を送信する送信手段と、
前記第２の接続手段が前記データ通信ネットワークを介して前記携帯電話端末から電子メール取得要求を受信した場合、受信した電子メール取得要求に含まれる前記電子メールアドレスに対応する電子メール情報を前記電子メール記憶部から読み出し、読み出した電子メール情報を前記第２の接続手段を介して当該携帯電話端末に送信する電子メール送信手段と、
を備えたことを特徴とする共同電子メールサーバ装置。
【請求項２】
ユーザが前記携帯電話端末の接続先となる携帯電話通信ネットワークを変更する際に、前記利用者情報記憶部の当該携帯電話端末の電話番号及び電子メールアドレスに対応する前記接続先情報を、変更先の携帯電話通信ネットワークを示す接続先情報に変更することを特徴とする請求項１に記載の共同電子メールサーバ装置。
【請求項３】
前記各々が基地局装置を有し自ネットワークの基地局装置を通じて前記携帯電話端末との接続を可能とする複数の携帯電話通信ネットワークであっていずれか１つが前記ユーザの携帯電話端末の接続先として選択され、いずれが接続先として選択されても前記電話番号の変更を伴うことなく当該電話番号に対応する携帯電話端末との接続を可能とする複数の携帯電話通信ネットワークとは、ナンバーポータビリティが導入された携帯電話通信ネットワークであることを特徴とする請求項１に記載の共同電子メールサーバ装置。
【請求項４】
予め電話番号と電子メールアドレスが付与される携帯電話端末と、前記携帯電話端末に接続されるデータ通信ネットワークと、各々が基地局装置を有し自ネットワークの基地局装置を通じて前記携帯電話端末との接続を可能とする複数の携帯電話通信ネットワークであっていずれか１つが前記ユーザの携帯電話端末の接続先として選択され、いずれが接続先として選択されても前記電話番号の変更を伴うことなく当該電話番号に対応する携帯電話端末との接続を可能とする複数の携帯電話通信ネットワークと、前記電子メールアドレスを含む電子メール情報を受信する共同電子メールサーバ装置とを備えた電子メール配信システムであって、
前記共同電子メールサーバ装置は、
接続先として選択される携帯電話通信電話ネットワークを示す接続先情報と前記電話番号と前記電子メールアドレスとを記憶する利用者情報記憶部と、
前記接続先情報の入力を受けて、前記複数の携帯電話通信ネットワークの中から前記接続先情報に対応する携帯電話通信ネットワークを選択して接続する第１の接続手段と、
前記データ通信ネットワークに接続する第２の接続手段と、
前記第２の接続手段を介して前記電子メールアドレスを含む電子メール情報を受信する電子メール受信手段と、
前記電子メール受信手段が受信する前記電子メール情報を電子メール記憶部に記録する第１の記録手段と、
前記第１の記録手段が前記電子メール情報を前記電子メール記憶部に記録した際、前記第１の記録手段が記録した前記電子メール情報に含まれる前記電子メールアドレスに対応する前記接続先情報と前記電話番号とを前記利用者情報記憶部から読み出す読出手段と、
前記読出手段が読み出した前記接続先情報を前記第１の接続手段に入力し、前記第１の接続手段が選択して接続する前記携帯電話通信ネットワークに前記読出手段が読み出した前記電話番号を宛先として発信し、確立された回線を通じて電子メール着信通知を送信する送信手段と、
前記第２の接続手段が前記データ通信ネットワークを介して前記携帯電話端末から電子メール取得要求を受信した場合、受信した電子メール取得要求に含まれる前記電子メールアドレスに対応する電子メール情報を前記電子メール記憶部から読み出し、読み出した電子メール情報を前記第２の接続手段を介して当該携帯電話端末に送信する電子メール送信手段と、を備え、
前記携帯電話端末は、
前記携帯電話通信ネットワークを介して前記共同電子メールサーバ装置から電子メール着信通知を受信した場合、前記データ通信ネットワークを介して前記共同電子メールサーバ装置に自端末の電子メールアドレスを含む電子メール取得要求を送信する取得要求送信手段と、
前記データ通信ネットワークを介して前記共同電子メールサーバ装置から前記電子メール情報を受信するメール受信手段と、
を備えたことを特徴とする電子メール配信システム。
【請求項５】
予め電話番号と電子メールアドレスが付与される携帯電話端末と、前記携帯電話端末に接続されるデータ通信ネットワークと、各々が基地局装置を有し自ネットワークの基地局装置を通じて前記携帯電話端末との接続を可能とする複数の携帯電話通信ネットワークであっていずれか１つが前記ユーザの携帯電話端末の接続先として選択され、いずれが接続先として選択されても前記電話番号の変更を伴うことなく当該電話番号に対応する携帯電話端末との接続を可能とする複数の携帯電話通信ネットワークと、前記電子メールアドレスを含む電子メール情報を受信する共同電子メールサーバ装置とを備えた電子メール配信システムにおける電子メール配信方法であって、
前記共同電子メールサーバ装置が、接続先として選択される携帯電話通信電話ネットワークを示す接続先情報と当該携帯電話端末の電話番号と電子メールアドレスとを利用者情報記憶部に記録するステップと、
前記共同電子メールサーバ装置が、前記データ通信ネットワークから前記電子メールアドレスを含む電子メール情報を受信するステップと、
前記共同電子メールサーバ装置が、受信した前記電子メール情報を電子メール記憶部に記録するステップと、
前記共同電子メールサーバ装置が、前記電子メール情報を前記電子メール記憶部に記録した際、記録した前記電子メール情報に含まれる前記電子メールアドレスに対応する前記接続先情報と前記電話番号とを前記利用者情報記憶部から読み出すステップと、
前記共同電子メールサーバ装置が、読み出した前記接続先情報に対応する前記携帯電話通信ネットワークを選択して接続するステップと、
前記共同電子メールサーバ装置が、接続した前記携帯電話通信ネットワークに読み出した前記電話番号を宛先として発信し、確立された回線を通じて電子メール着信通知を送信するステップと、
前記携帯電話端末が、前記携帯電話通信ネットワークを介して前記共同電子メールサーバ装置から前記電子メール着信通知を受信するステップと、
前記携帯電話端末が、前記電子メール着信通知を受信した場合、前記データ通信ネットワークを介して前記共同電子メールサーバ装置に自端末の電子メールアドレスを含む電子メール取得要求を送信するステップと、
前記共同電子メールサーバ装置が、前記データ通信ネットワークを介して前記携帯電話端末から電子メール取得要求を受信するステップと、
前記共同電子メールサーバ装置が、受信した電子メール取得要求に含まれる前記電子メールアドレスに対応する電子メール情報を前記電子メール記憶部から読み出すステップと、
前記共同電子メールサーバ装置が、読み出した電子メール情報を当該携帯電話端末に送信するステップと、
前記携帯電話端末が、前記データ通信ネットワークを介して前記共同電子メールサーバ装置から前記電子メール情報を受信するステップと、
を含むことを特徴とする電子メール配信方法。
【請求項６】
予め電話番号と電子メールアドレスが付与される携帯電話端末と、前記携帯電話端末に接続されるデータ通信ネットワークと、各々が基地局装置を有し自ネットワークの基地局装置を通じて前記携帯電話端末との接続を可能とする複数の携帯電話通信ネットワークであっていずれか１つが前記ユーザの携帯電話端末の接続先として選択され、いずれが接続先として選択されても前記電話番号の変更を伴うことなく当該電話番号に対応する携帯電話端末との接続を可能とする複数の携帯電話通信ネットワークと、前記電子メールアドレスを含む電子メール情報を受信する共同電子メールサーバ装置とを備えた電子メール配信システムにおける共同電子メールサーバ装置に具備されるコンピュータに、
接続先として選択される携帯電話通信ネットワークを示す接続先情報と当該携帯電話端末の電話番号と電子メールアドレスとを利用者情報記憶部に記録するステップと、
前記電子メールアドレスを含む電子メール情報を受信するステップと、
受信する前記電子メール情報を電子メール記憶部に記録するステップと、
前記電子メール情報を前記電子メール記憶部に記録した際、記録した前記電子メール情報に含まれる前記電子メールアドレスに対応する前記接続先情報と前記電話番号とを前記利用者情報記憶部から読み出すステップと、
読み出した前記接続先情報に対応する前記携帯電話通信ネットワークを選択して接続するステップと、
接続する前記携帯電話通信ネットワークに読み出した前記電話番号を宛先として発信し、確立された回線を通じて電子メール着信通知を送信するステップと、
前記データ通信ネットワークを介して前記携帯電話端末から電子メール取得要求を受信するステップと、
受信した電子メール取得要求に含まれる前記電子メールアドレスに対応する電子メール情報を前記電子メール記憶部から読み出すステップと、
読み出した電子メール情報を前記データ通信ネットワークを介して当該携帯電話端末に送信するステップと、
を実行させるためのコンピュータプログラム。
【手続補正２】
【補正対象書類名】明細書
【補正対象項目名】０００６
【補正方法】変更
【補正の内容】
【０００６】
上記問題を解決するために、本発明は、予め電話番号と電子メールアドレスが付与される携帯電話端末と、前記携帯電話端末に接続されるデータ通信ネットワークと、各々が基地局装置を有し自ネットワークの基地局装置を通じて前記携帯電話端末との接続を可能とする複数の携帯電話通信ネットワークであっていずれか１つが前記ユーザの携帯電話端末の接続先として選択され、いずれが接続先として選択されても前記電話番号の変更を伴うことなく当該電話番号に対応する携帯電話端末との接続を可能とする複数の携帯電話通信ネットワークと、前記電子メールアドレスを含む電子メール情報を受信する共同電子メールサーバ装置とを備えた電子メール配信システムにおける共同電子メールサーバ装置であって、ユーザが接続先として選択する携帯電話通信電話ネットワークを示す接続先情報と前記電話番号と前記電子メールアドレスとを記憶する利用者情報記憶部と、前記接続先情報の入力を受けて、前記複数の携帯電話通信ネットワークの中から前記接続先情報に対応する携帯電話通信ネットワークを選択して接続する第１の接続手段と、前記データ通信ネットワークに接続する第２の接続手段と、前記第２の接続手段を介して前記電子メールアドレスを含む電子メール情報を受信する電子メール受信手段と、前記電子メール受信手段が受信する前記電子メール情報を電子メール記憶部に記録する第１の記録手段と、前記第１の記録手段が前記電子メール情報を前記電子メール記憶部に記録した際、前記第１の記録手段が記録した前記電子メール情報に含まれる前記電子メールアドレスに対応する前記接続先情報と前記電話番号とを前記利用者情報記憶部から読み出す読出手段と、前記読出手段が読み出した前記接続先情報を前記第１の接続手段に入力し、前記第１の接続手段が選択して接続する前記携帯電話通信ネットワークに前記読出手段が読み出した前記電話番号を宛先として発信し、確立された回線を通じて電子メール着信通知を送信する送信手段と、前記第２の接続手段が前記データ通信ネットワークを介して前記携帯電話端末から電子メール取得要求を受信した場合、受信した電子メール取得要求に含まれる前記電子メールアドレスに対応する電子メール情報を前記電子メール記憶部から読み出し、読み出した電子メール情報を前記第２の接続手段を介して当該携帯電話端末に送信する電子メール送信手段と、を備えたことを特徴とする共同電子メールサーバ装置である。
【手続補正３】
【補正対象書類名】明細書
【補正対象項目名】０００７
【補正方法】変更
【補正の内容】
【０００７】
本発明は、上記に記載の発明において、ユーザが前記携帯電話端末の接続先となる携帯電話通信ネットワークを変更する際に、前記利用者情報記憶部の当該携帯電話端末の電話番号及び電子メールアドレスに対応する前記接続先情報を、変更先の携帯電話通信ネットワークを示す接続先情報に変更することを特徴とする。
【手続補正４】
【補正対象書類名】明細書
【補正対象項目名】０００８
【補正方法】変更
【補正の内容】
【０００８】
本発明は、上記に記載の発明において、前記各々が基地局装置を有し自ネットワークの基地局装置を通じて前記携帯電話端末との接続を可能とする複数の携帯電話通信ネットワークであっていずれか１つが前記ユーザの携帯電話端末の接続先として選択され、いずれが接続先として選択されても前記電話番号の変更を伴うことなく当該電話番号に対応する携帯電話端末との接続を可能とする複数の携帯電話通信ネットワークとは、ナンバーポータビリティが導入された携帯電話通信ネットワークであることを特徴とする。
【手続補正５】
【補正対象書類名】明細書
【補正対象項目名】０００９
【補正方法】変更
【補正の内容】
【０００９】
本発明は、予め電話番号と電子メールアドレスが付与される携帯電話端末と、前記携帯電話端末に接続されるデータ通信ネットワークと、各々が基地局装置を有し自ネットワークの基地局装置を通じて前記携帯電話端末との接続を可能とする複数の携帯電話通信ネットワークであっていずれか１つが前記ユーザの携帯電話端末の接続先として選択され、いずれが接続先として選択されても前記電話番号の変更を伴うことなく当該電話番号に対応する携帯電話端末との接続を可能とする複数の携帯電話通信ネットワークと、前記電子メールアドレスを含む電子メール情報を受信する共同電子メールサーバ装置とを備えた電子メール配信システムであって、前記共同電子メールサーバ装置は、接続先として選択される携帯電話通信電話ネットワークを示す接続先情報と前記電話番号と前記電子メールアドレスとを記憶する利用者情報記憶部と、前記接続先情報の入力を受けて、前記複数の携帯電話通信ネットワークの中から前記接続先情報に対応する携帯電話通信ネットワークを選択して接続する第１の接続手段と、前記データ通信ネットワークに接続する第２の接続手段と、前記第２の接続手段を介して前記電子メールアドレスを含む電子メール情報を受信する電子メール受信手段と、前記電子メール受信手段が受信する前記電子メール情報を電子メール記憶部に記録する第１の記録手段と、前記第１の記録手段が前記電子メール情報を前記電子メール記憶部に記録した際、前記第１の記録手段が記録した前記電子メール情報に含まれる前記電子メールアドレスに対応する前記接続先情報と前記電話番号とを前記利用者情報記憶部から読み出す読出手段と、前記読出手段が読み出した前記接続先情報を前記第１の接続手段に入力し、前記第１の接続手段が選択して接続する前記携帯電話通信ネットワークに前記読出手段が読み出した前記電話番号を宛先として発信し、確立された回線を通じて電子メール着信通知を送信する送信手段と、前記第２の接続手段が前記データ通信ネットワークを介して前記携帯電話端末から電子メール取得要求を受信した場合、受信した電子メール取得要求に含まれる前記電子メールアドレスに対応する電子メール情報を前記電子メール記憶部から読み出し、読み出した電子メール情報を前記第２の接続手段を介して当該携帯電話端末に送信する電子メール送信手段と、を備え、前記携帯電話端末は、前記携帯電話通信ネットワークを介して前記共同電子メールサーバ装置から電子メール着信通知を受信した場合、前記データ通信ネットワークを介して前記共同電子メールサーバ装置に自端末の電子メールアドレスを含む電子メール取得要求を送信する取得要求送信手段と、前記データ通信ネットワークを介して前記共同電子メールサーバ装置から前記電子メール情報を受信するメール受信手段と、を備えたことを特徴とする電子メール配信システムである。
【手続補正６】
【補正対象書類名】明細書
【補正対象項目名】００１０
【補正方法】変更
【補正の内容】
【００１０】
本発明は、予め電話番号と電子メールアドレスが付与される携帯電話端末と、前記携帯電話端末に接続されるデータ通信ネットワークと、各々が基地局装置を有し自ネットワークの基地局装置を通じて前記携帯電話端末との接続を可能とする複数の携帯電話通信ネットワークであっていずれか１つが前記ユーザの携帯電話端末の接続先として選択され、いずれが接続先として選択されても前記電話番号の変更を伴うことなく当該電話番号に対応する携帯電話端末との接続を可能とする複数の携帯電話通信ネットワークと、前記電子メールアドレスを含む電子メール情報を受信する共同電子メールサーバ装置とを備えた電子メール配信システムにおける電子メール配信方法であって、前記共同電子メールサーバ装置が、接続先として選択される携帯電話通信電話ネットワークを示す接続先情報と当該携帯電話端末の電話番号と電子メールアドレスとを利用者情報記憶部に記録するステップと、前記共同電子メールサーバ装置が、前記データ通信ネットワークから前記電子メールアドレスを含む電子メール情報を受信するステップと、前記共同電子メールサーバ装置が、受信した前記電子メール情報を電子メール記憶部に記録するステップと、前記共同電子メールサーバ装置が、前記電子メール情報を前記電子メール記憶部に記録した際、記録した前記電子メール情報に含まれる前記電子メールアドレスに対応する前記接続先情報と前記電話番号とを前記利用者情報記憶部から読み出すステップと、前記共同電子メールサーバ装置が、読み出した前記接続先情報に対応する前記携帯電話通信ネットワークを選択して接続するステップと、前記共同電子メールサーバ装置が、接続した前記携帯電話通信ネットワークに読み出した前記電話番号を宛先として発信し、確立された回線を通じて電子メール着信通知を送信するステップと、前記携帯電話端末が、前記携帯電話通信ネットワークを介して前記共同電子メールサーバ装置から前記電子メール着信通知を受信するステップと、前記携帯電話端末が、前記電子メール着信通知を受信した場合、前記データ通信ネットワークを介して前記共同電子メールサーバ装置に自端末の電子メールアドレスを含む電子メール取得要求を送信するステップと、前記共同電子メールサーバ装置が、前記データ通信ネットワークを介して前記携帯電話端末から電子メール取得要求を受信するステップと、前記共同電子メールサーバ装置が、受信した電子メール取得要求に含まれる前記電子メールアドレスに対応する電子メール情報を前記電子メール記憶部から読み出すステップと、前記共同電子メールサーバ装置が、読み出した電子メール情報を当該携帯電話端末に送信するステップと、前記携帯電話端末が、前記データ通信ネットワークを介して前記共同電子メールサーバ装置から前記電子メール情報を受信するステップと、を含むことを特徴とする電子メール配信方法である。
【手続補正７】
【補正対象書類名】明細書
【補正対象項目名】００１１
【補正方法】変更
【補正の内容】
【００１１】
本発明は、予め電話番号と電子メールアドレスが付与される携帯電話端末と、前記携帯電話端末に接続されるデータ通信ネットワークと、各々が基地局装置を有し自ネットワークの基地局装置を通じて前記携帯電話端末との接続を可能とする複数の携帯電話通信ネットワークであっていずれか１つが前記ユーザの携帯電話端末の接続先として選択され、いずれが接続先として選択されても前記電話番号の変更を伴うことなく当該電話番号に対応する携帯電話端末との接続を可能とする複数の携帯電話通信ネットワークと、前記電子メールアドレスを含む電子メール情報を受信する共同電子メールサーバ装置とを備えた電子メール配信システムにおける共同電子メールサーバ装置に具備されるコンピュータに、接続先として選択される携帯電話通信ネットワークを示す接続先情報と当該携帯電話端末の電話番号と電子メールアドレスとを利用者情報記憶部に記録するステップと、前記電子メールアドレスを含む電子メール情報を受信するステップと、受信する前記電子メール情報を電子メール記憶部に記録するステップと、前記電子メール情報を前記電子メール記憶部に記録した際、記録した前記電子メール情報に含まれる前記電子メールアドレスに対応する前記接続先情報と前記電話番号とを前記利用者情報記憶部から読み出すステップと、読み出した前記接続先情報に対応する前記携帯電話通信ネットワークを選択して接続するステップと、接続する前記携帯電話通信ネットワークに読み出した前記電話番号を宛先として発信し、確立された回線を通じて電子メール着信通知を送信するステップと、前記データ通信ネットワークを介して前記携帯電話端末から電子メール取得要求を受信するステップと、受信した電子メール取得要求に含まれる前記電子メールアドレスに対応する電子メール情報を前記電子メール記憶部から読み出すステップと、読み出した電子メール情報を前記データ通信ネットワークを介して当該携帯電話端末に送信するステップと、を実行させるためのコンピュータプログラム。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】